(57)【要約】【課題】雨天時の作業現場における作業において、上方の踏板から落下する雨滴よる建築物の側壁の汚れが発生せず、雨天時の作業効率を向上させるとともに、容易に組立可能で且つ低コストの足場組立セットを提供することである。【解決手段】作業現場の地面から鉛直方向に設置された複数の支柱２１と、支柱２１から垂直方向に延在して支柱２１間に着脱可能に取り付けられるブラケット２２と、ブラケット２２間に着脱可能に取り付け可能な足場板２３とで構成された足場であって、雨水は上方の足場板２３の第一雨樋２３ｂで溜められ、その雨水はブラケット２２に設けた第二雨樋２２ｃを介して支柱２１内の流路に流れ込み外部に排出される。【選択図】  図２
2005002673.tif 000002
【特許請求の範囲】
【請求項１】
作業現場の地面から鉛直方向に設置された複数の支柱間に足場を形成するための足場組立セットであって、
上記支柱と係合する係合部を有し且つ係合部を介して少なくとも１本の支柱に取り付けられるブラケットと、
上記ブラケットと結合する結合部と踏板を有し且つ上記ブラケット間に掛け渡される足場板とを備え、
上記足場板が踏板の下方に設けられた受け皿と、該受け皿に形成された第一排水口を有し、
上記ブラケットが第一排水口から排出される水を受ける受け部と、上記係合部に形成され且つ該受け部と流通する第二排水口を有することを特徴とする足場組立セット。
【請求項２】
上記ブラケットがサイドビームを有し、該サイドビームの下方に上記受け部が設けられていることを特徴とする請求項１に記載の足場組立セット。
【請求項３】
上記ブラケットのサイドビームが延在する方向における受け部の長さＷ１と、上記足場組立セットを組立てた際に上記ブラケットのサイドビームと対向する上記足場板の受け皿の側面部の幅Ｗ２との間に、Ｗ１＞Ｗ２が成立することを特徴とする請求項２に記載の足場組立セット。
【請求項４】
上記足場板の受け皿の底部が、足場板の一方向に延在する溝を有し、該溝の底部に第一排水口が形成されていることを特徴とする請求項１〜３のいずれか一項に記載の足場組立セット。
【請求項５】
上記ブラケットがＬ型形状であり、上記ブラケットの両端部に支柱と係合する係合部を有し、該係合部を介して上記ブラケットが上記支柱間に掛け渡されることを特徴とする請求項１〜４のいずれか一項に記載の足場組立セット。
【請求項６】
さらに、上記足場組立セットが支柱を備え、該支柱内は中空であり、該支柱の外壁には上記ブラケットの第二排水口から排出される水を該支柱内に流通するための第三排水口が形成されていることを特徴とする請求項１〜５のいずれか一項に記載の足場組立セット。
【請求項７】
最下部に設置される上記支柱の外壁に、上記支柱内と流通する排水パイプが設けられていることを特徴とする請求項６に記載の足場組立セット。
【発明の詳細な説明】
【０００１】
【発明の属する技術分野】
本発明は、建築現場等の作業現場で使用される足場の組立セットに関し、特に、雨天時でも効率良く作業を行える足場の組立セットに関する。
【０００２】
【従来の技術】
建築物の外壁工事や外壁塗装など行う際、通常、建築物の外壁に沿って足場が設置される。その足場は、図１に示すように、主に地面から鉛直方向に設置された複数の支柱１１と、支柱１１間に設置されたブラケット１２と、ブラケット１２間に設置された足場板１３とから構成される。支柱１１は、図１に示すように、地面上に設置されたアンダーベース１４上に設けられる。作業員が作業を行う足場板１３には、図１に示すように、すべり防止のために、網目状の穴が空いた平板が用いられる。そのため、雨天時の作業では、足場板１３の穴を介して落下する雨滴が下方の足場板１３や地面に落ちた際、雨滴が飛散して建築物の外壁や窓などが汚れるという問題が生じる。特に最下部の足場板における雨滴の飛散による建築物の外壁や窓などの汚れが最も酷くなる。それゆえ、雨天時の作業では、このような建築物の外壁や窓などの汚れを清掃しながらの作業となるため、作業の効率が悪くなるという問題があった。また、雨滴の飛散により建築物が濡れることにより、塗装工事やコーキング工事などの作業スケジュールが遅れるという問題があった。
【０００３】
この問題を解決する方法として、最上部の足場と建築物の屋根との間に雨避けシートを設置する方法が提案されている（例えば、特許文献１を参照）。また、足場の最上部に屋根を取り付ける方法も提案されている（例えば、特許文献２を参照）。特許文献２では、屋根材の側部に設けた雨樋あるいは屋根枠に設けた雨樋枠により雨水の排出を容易にしている。
【０００４】
【特許文献１】
特開２００２−３５６９９８号公報（第３−４頁、第２−４図）
【特許文献２】
特開平８−１３５１７２号公報（第３−４頁、第１、３及び４図）
【０００５】
【発明が解決しようとする課題】
上記特許文献１のように、雨天時に雨避けシートを設置する場合、雨避けシートの設置及び撤収のための手間がかかるため作業効率が低下する恐れがある。特に、風の強い日には、雨避けシートを設置するのが困難になるので、雨避けシートの設置及び撤収のために一層手間がかかる。また、風の強い日にはシートが飛ばされる恐れもある。さらに、雨避けシートの設置は足場の最上部で行われるために、風が強くなると、作業の危険度が増大する恐れがある。一方、特許文献２のように足場の最上部に屋根を設ける場合も同様に、屋根を設置するために時間がかかり作業効率が低下する可能性がある。また、特許文献２のように足場の最上部に屋根を設ける場合には、設備コストが高くなるという問題が生じる。
【０００６】
本発明は上記従来技術の問題を解決するためになされたものであり、本発明の目的は、上方の踏板から落下する雨滴よる建築物の側壁や窓など汚れが発生せず、雨天時の作業効率を向上させるとともに、容易に組立可能で且つ低コストの足場組立セットを提供することである。
【０００７】
【課題を解決するための手段】
本発明に従えば、作業現場の地面から鉛直方向に設置された複数の支柱間に足場を形成するための足場組立セットであって、上記支柱と係合する係合部を有し且つ係合部を介して少なくとも１本の支柱に取り付けられるブラケットと、上記ブラケットと結合する結合部と踏板を有し且つ上記ブラケット間に掛け渡される足場板とを備え、上記足場板が踏板の下方に設けられた受け皿と、該受け皿に形成された第一排水口を有し、上記ブラケットが第一排水口から排出される水を受ける受け部と、上記係合部に形成され且つ該受け部と流通する第二排水口を有することを特徴とする足場組立セットが提供される。
【０００８】
本発明の足場組立セットは、上記ブラケットがサイドビームを有し、該サイドビームの下方に上記受け部が設けられていることが好ましい。
【０００９】
本発明の足場組立セットは、さらに、支柱を備えていても良い。即ち，本発明の足場組立セットは上記ブラケットと足場板の組み合わせセット（キット）として製造・販売のために取り扱われても良く、あるいは支柱まで含めたセット（キット）として取り扱われても良い。上記足場組立セットが支柱を備える場合、該支柱内は中空であり、該支柱の外壁には上記ブラケットの第二排水口から排出される水を該支柱内に流通するための第三排水口が形成されていることが好ましい。
【００１０】
本発明の足場組立セットの一例を図２に示す。本発明の足場組立セットは、図２に示すように、作業現場の地面から鉛直方向に設置された複数の支柱２１と、支柱２１から垂直方向に延在して支柱２１間に着脱可能に取り付けられるブラケット２２と、ブラケット２２間に着脱可能に取り付け可能な足場板２３とで構成される。
【００１１】
ブラケット２２は、図６（ａ）に示すように、サイドビーム２２ａと、サイドビーム２２ａの両端に形成され且つブラケット２２を支柱２１に着脱可能に取り付けるための係合部２２ｂと、サイドビーム２２ａの下方に設置され且つ係合部２２ｂと結合されている第二雨樋２２ｃ（受け部）とで構成される。係合部２２ｂの内部には、図７（ａ）に示すように、流路２２ｊが形成されている。係合部２２ｂの支柱２１と接する端面２２ｋの一部には流路２２ｊと流通する第二排水口２２ｄが形成されている。また、流路２２ｊは、図７（ｂ）に示すように、第二雨樋２２ｃの端部に形成された第四排水口２２ｅを介して第二雨樋２２ｃと流通している。
【００１２】
足場板２３は、図８に示すように、主に網目状に複数の穴が形成された踏板２３ａと、踏板２３ａの下方に設置された第一雨樋２３ｂ（受け皿）と、ブラケット２２のサイドビーム２２ａに着脱可能に取り付けられる結合部２３ｃとで形成される。また、足場板２３の第一雨樋２３ｂの底部２３ｄの一部（長手方向端部近傍）には、図８（ｂ）に示すように、第一排水口２３ｅが形成されている。本発明の足場組立セットを組立てた際、図３（ａ）に示すように、ブラケット２２の第二雨樋２２ｃの一部が足場板２３の第一排水口２３ｅの下方に配置されて、第一排水口２３ｅから流れ出た水が第二雨樋２２ｃに流れ込む。
【００１３】
支柱２１の内部は、図５に示すように、中空（図５中の流路２１ｃ）になっており、支柱２１の外壁２１ａの一部には、ブラケット２２の係合部２２ｂと着脱可能に接合するホルダ２１ｂが形成されている。図５（ｂ）に示すように、ホルダ２１ｂが設けられた支柱２１の外壁領域２１ｈには、支柱２１内の流路２１ｃとホルダ２１ｂを流通する第三排水口２１ｄが形成されている。本発明の足場組立セットを組立てた際、図４（ｂ）に示すように、ブラケット２２に形成された第二排水口２２ｄと支柱２１に形成された第三排水口２１ｄとが重なり、それらの排水口を介して、係合部２２ｂ内の流路２２ｊと支柱２１内の流路２１ｃとが流通する。
【００１４】
上記構成の足場組立セットを雨天時に組立てて作業を行うと、雨粒は足場板２３の踏板２３ａに形成された複数の穴を通して第一雨樋２３ｂに溜まり、第一雨樋２３ｂに溜まった雨水は、図４（ａ）の矢印４０に示すように、第一雨樋２３ｂの底部に形成された第一排水口２３ｅを介してブラケット２２の第二雨樋２２ｃ内部に流れ込む。次いで、第二雨樋２２ｃに溜まった雨水は、図４（ｂ）の矢印４１に示すように、第四排水口２２ｅを通って流路２２ｊに流れ込み、流路２２ｊに流れ込んだ雨水は第二排水口２２ｄ及び第三排水口２１ｄを介して支柱２１内の流路２１ｃに流れ込む。すなわち、本発明の足場組立セットの組立体では、雨水は足場板２３の第一雨樋２３ｂからブラケット２２の第二雨樋２２ｃに流れ込み、その雨水はブラケット２２の係合部２２ｂを介して支柱２１内に流れ込み、最後に支柱２１から外部に排出される構造になっている。
【００１５】
本発明の足場組立セットでは、上記ブラケットのサイドビームが延在する方向における受け部の長さＷ１と、上記足場組立セットを組立てた際に上記ブラケットのサイドビームと対向する上記足場板の受け皿の側面部の幅Ｗ２との間に、Ｗ１＞Ｗ２が成立することが好ましい。例えば、図３（ｂ）に示すように、ブラケット２２のサイドビーム２２ａが延在する方向における第二雨樋２２ｃ（受け部）の長さＷ１を、ブラケット２２のサイドビーム２２ａと対向する足場板２３の第一雨樋（受け皿）の側面部の幅Ｗ２より広く設定することにより、足場板２３をブラケット２２のサイドビーム２２ａに接続する際、足場板２３がサイドビーム２２ａの中央からサイドビーム２２ａの長手方向（図３中のＸ方向）に多少ずれて設置されても、足場板２３の第一雨樋２３ｂに溜まった雨水がブラケット２２の第二雨樋２２ｃに確実に流れ込む。
【００１６】
本発明の足場組立セットでは、上記足場板の受け皿の底部が、足場板の一方向に延在する溝を有し、該溝の底部に第一排水口が形成されていることが好ましい。底部に溝が形成された足場板の受け皿の一例を図９に示す。図９に示すように、受け皿２３ｂ’（第一雨樋）には複数の溝２３ｄ’が形成されるように底部が屈曲されている。第一雨樋２３ｂ’の底部をこのような形状に加工することにより、足場板の強度を補強することができる。特に、溝２３ｄ’に隣接する凸部２３ｋの高さ（溝２３ｄ’の深さ）を、足場板を組立てた際に凸部２３ｋの上面が踏板と接するような高さに設定することにより、凸部２３ｋが踏板の補強部材になり、足場板の強度を一層補強することができる。
【００１７】
また、本発明の足場組立セットでは、上記ブラケットがＬ型形状であり、上記ブラケットの両端部に支柱と係合する係合部を有し、該係合部を介して上記ブラケットが上記支柱間に掛け渡されることが好ましい。狭い空間の作業現場では通常足場板の幅を狭くするので、図２に示した足場２０では足場板２３を挟んで設置された支柱２１間の幅も狭くなる。そのような作業環境では作業員が作業中に足場板２３間を移動するために支柱２１間を通り抜ける際、若干手間がかかる恐れがある。足場板上での作業員の移動を一層容易にするためには、Ｌ型形状のブラケットを用いることが好ましい。Ｌ型形状のブラケットを有する足場の一例を図１４に示す。図１４に示すように、ブラケット５２の形状をＬ型にすることにより、足場板２３を挟んで設置される支柱２１及び２１’を足場板２３の長手方向（図面のＹ方向）にずらして配置することができる。すなわち、ブラケットを図１４に示すようなＬ型形状にすることにより、足場板を挟んで設置される支柱間の距離を広げることができる。これにより、支柱間における作業員の通り抜けが一層容易になる。
【００１８】
本発明の足場組立セットでは、最下部に設置される上記支柱の外壁に、上記支柱内と流通する排水パイプが設けられていることが好ましい。最下部の支柱の外壁に支柱内部と流通する排水パイプを設けることにより、支柱内の流路を通して上方から流れ落ちる雨水を、排水パイプを介して支柱の設置場所から離れた場所に排出することができる。
【００１９】
【発明の実施の形態】
以下に図面を用いて本発明の足場組立セットを具体的に説明するが、本発明はこれに限定されない。
【００２０】
【実施例１】
実施例１の足場の斜視図を図２に示す。なお、この例の足場の説明に用いる以下の図面（図２〜８）では、図２に示すように、支柱２１が延在する方向をＺ方向とし、支柱２１に対してブラケット２２が垂直に延在する方向をＸ方向及び足場板２３の長手方向をＹ方向とする。ただし、この例ではＸ方向、Ｙ方向及びＺ方向は互いに直交する方向とする。
【００２１】
実施例１の足場２０は、図２に示すように、建築現場等の作業現場の地面から鉛直方向（図２中のＺ方向）に設置された複数の支柱２１と、支柱２１から垂直方向（図２中のＸ方向）に延在し且つ支柱２１間に取り付けられたブラケット２２と、ブラケット２２のサイドビーム２２ａに着脱可能にフック２３ｃで連結され、図２中のＹ方向に延在して設けられた足場板２３とで構成される。この例の足場２０は、図２に示すようにブラケット２２の両端に設けられた係合部２２ｂを支柱２１の外壁に設けられたホルダ２１ｂの一つに差し込むことにより、ブラケット２２を支柱２１に対して垂直方向（図２中のＸ方向）に保持する、いわゆるクサビ型の足場である。
【００２２】
まず、この例の支柱２１について説明する。支柱２１の概略図を図５に示す。図５（ｂ）は、図５（ａ）中の破線で囲まれた領域の拡大断面図である。支柱２１は、図５（ｂ）に示すように、円筒状の単管で形成されており、その内部の空洞部が流路２１ｃとなる。支柱２１の外壁２１ａの一部には、図５（ａ）に示すように、後述するブラケットの端部を保持するための４つのホルダ２１ｂが設けられている。それらのホルダ２１ｂは、支柱２１の外壁２１ａの周方向に９０度間隔で形成されており、互いに隣接しあうホルダ２１ｂ同士が同じ高さに設置されないように、上下異なる位置に交互に配置されている。この配置は隣接するホルダ２１ｂを介して支柱２１に取り付けられる１対のブラケットが互いに干渉することを防止している。
【００２３】
支柱２１の外壁２１ａに設けられたホルダ２１ｂは、図５（ｂ）に示すように、底部２１ｅと底部２１ｅから斜め上方に延在する側壁２１ｆを有し、側壁２１ｆは支柱２１の外壁２１ａを覆うようにコ型の形状を有する。また、ホルダ２１ｂの上部は開放されて、開口部２１ｇを画成している。ホルダ２１ｂにより囲まれた支柱２１の外壁２１ａの領域２１ｈの下方には支柱２１内の流路２１ｃと流通する四角形状の穴２１ｄ（第三排水口）が形成されている。ただし、穴２１ｄの形状は四角形に限定されず、例えば、円形や楕円形などの任意の形状にして良い。
【００２４】
次に、この例で用いたブラケット２２を図６及び７を用いて説明する。なお、図７（ａ）は、図６（ｃ）中のＸ１−Ｘ１断面図であり、図７（ｂ）は、図６（ｂ）中のＺ１−Ｚ１断面図であり、図７（ｃ）は、図６（ｂ）中のＹ１−Ｙ１断面図であり、そして、図７（ｄ）は、図６（ｂ）中のＹ２−Ｙ２断面図である。
【００２５】
ブラケット２２は、図６（ａ）に示すように、図６中のＸ方向に延在したサイドビーム２２ａと、サイドビーム２２ａの両端に設けられた係合部２２ｂと、サイドビーム２２ａに吊り板２２ｇにより吊り下げられた箱状の第二雨樋２２ｃとで構成される。サイドビーム２２ａは、図７（ａ）及び（ｄ）に示すように、円筒状の単管で形成されている。
【００２６】
ブラケット２２のサイドビーム２２ａの両端に設けられた係合部２２ｂは、図７（ｃ）に示すように、サイドビーム２２ａと同じ円筒形状を有する上部２２ｍと、円筒状の上部２２ｍの下方に形成され且つ上部２２ｍの下方に延在した直方体状の下部２２ｎとで構成されている。図６（ａ）及び（ｂ）に示すように、下部２２ｎは下方に向かうに従ってそのＹ方向の幅及びＸ方向の幅（厚さ）が徐々に狭くなるように形成されており、ホルダ２１ｂへの挿入を容易にしている。また、ブラケット２２の係合部２２ｂ内部には、図７（ｂ）に示すように、断面が矩形の流路２２ｊが形成されており、流路２２ｊの断面は下方に向かって狭くなる。ただし、流路２２ｊの断面形状は矩形に限定されず、例えば、円形や楕円形などの任意の形状にして良い。
【００２７】
図７（ａ）及び（ｂ）に示すように、係合部２２ｂの下部２２ｎの上方で且つ内側には、流路２２ｊをその上流で第二雨樋２２ｃの内部に連通する穴２２ｅ（第四排水口）が形成されている。一方、係合部２２ｂの下部２２ｎの下方で且つ外側には流路２２ｊを下流側で開放する穴２２ｄ（第二排水口）が形成されている。穴２２ｄは、図２に示すようにブラケット２２の係合部２２ｂを支柱２１のホルダ２１ｂに挿入して足場を組立てた際、支柱２１に形成された穴２１ｄと重なり係合部２２ｂ内の流路２２ｊと支柱２１内の流路２１ｃとを連通する。穴２２ｄ及び２２ｅの形状は図示のような四角形に限定されず、例えば、円形や楕円形など任意の形状にして良い。
【００２８】
ブラケット２２の第二雨樋２２ｃは、図６（ａ）に示すように、底部２２ｆとＸ及びＹ方向にそれぞれ延在する側壁とを有する箱状の形状を有し、上方が開放されている。底部２２ｆは、サイドビーム２２ａの下部に設けられ且つサイドビーム２２ａの長手方向（Ｘ方向）に延在した吊り板２２ｇと接合されている。また、図６（ａ）に示すように、第二雨樋２２ｃのＹ方向に延びる側壁２２ｈは、係合部２２ｂの側面２２ｉと接合している。すなわち、第二雨樋２２ｃは、ブラケット２２の係合部２２ｂの穴２２ｅと上方開放部以外は閉塞されており、第二雨樋２２ｃに上方開放部から流入した雨水は穴２２ｅを通って係合部２２ｂに流れ込むことになる。
【００２９】
次に、この例で用いた足場板２３を図８を用いて説明する。図８（ｂ）は足場板２３の分解図である。足場板２３は、図８（ｂ）に示すように、網目状の穴が形成された踏板２３ａと、踏板２３ａの下方に設けられた箱状の第一雨樋２３ｂと、踏板２３ａ及び第一雨樋２３ｂのＸ方向（踏板２３ａの短手方向）に垂直な両側面を支持するための２つの側面支持材２３ｆと、足場板２３をブラケット２２のサイドビーム２２ａに着脱可能に取り付けるためのフック２３ｃを有し且つ踏板２３ａ及び第一雨樋２３ｂのＹ方向（踏板２３ａの長手方向）に垂直な両側面を支持するための２つの端面支持材２３ｇとで構成されている。
【００３０】
第一雨樋２３ｂの底部２３ｄには、図８（ｂ）に示すように、第一雨樋２３ｂの長手方向（図８（ｂ）中のＹ方向）に垂直な両端面付近にそれぞれ四角形状の穴２３ｅ（第一排水口）が形成されている。穴２３ｅは、図３（ａ）に示すように本発明の足場を組立てた際、足場板２３の穴２３ｅの下方にブラケット２２の第二雨樋２２ｃの一部が位置付けられるように、底部２３ｄの所定位置に形成される。なお、第一雨樋２３ｂの底部２３ｄに設けられる穴２３ｅの形状は四角形に限定されず、例えば、円形や楕円形などで形成されていても良く、任意の形状の穴にし得る。また、第一雨樋２３ｂの底部２３ｄに形成された穴２３ｅには、図８（ｂ）に示すように、穴２３ｅからの雨水を第二雨樋２２ｃへガイドするための一対の補助板２３ｈが形成されている。補助板２３ｈは、図８（ｂ）に示すように、穴２３ｅを区画するＸ方向の縁部のうち、足場板２３のＹ方向の中央に近い側の縁部から下方に所定の角度だけ傾くように底部２３ｄから延びている。
【００３１】
足場板２３の端面支持材２３ｇは、図８（ｂ）に示すように、箱状の部材であり、踏板２３ａの長手方向（図８（ｂ）中のＹ方向）に垂直な端面２３ｉには、足場板２３をブラケット２２のサイドビーム２２ａに着脱可能に取り付けるためのフック２３ｃが所定の間隔で２個設けられている。フック２３ｃは溶接により各端面支持材２３ｇの端面２３ｉに接合されても良いし、あるいは、ねじ等で接合しても良い。フック２３ｃは、図８（ｂ）に示すように、踏板２３ａの長手方向（図８（ｂ）中のＹ方向）に延在した板状の部材であり、その先端はブラケット２２のサイドビーム２２ａの外壁の曲率半径よりわずかに大きい内径を有する逆Ｕ字型の形状に加工されている。この例ではフック２３ｃは端面支持材２３ｇの踏板２３ａの長手方向（図８（ｂ）中のＹ方向）に垂直な端面２３ｉに取り付けられているが、本発明はこれに限定されず、例えば、端面支持材２３ｇのＸ方向に垂直な側面２３ｊに溶接やねじ等で取り付けても良い。
【００３２】
足場板２３の側面支持材２３ｆは、図８（ｂ）に示すように、踏板２３ａの長手方向（図８（ｂ）中のＹ方向）に延在した部材であり、その断面はコ型の形状になっている。
【００３３】
上記足場組立セットを構成する各構成部材は鉄、鋼などの鉄合金等で形成され、その表面には亜鉛メッキなどにより防錆加工が施されていても良い。あるいは、アルミ等の耐蝕性金属を用い得る。
【００３４】
上記足場組立セットの構成部材を組立てると、図２に示すような足場２０が形成される。図２の足場２０を図２中のＸ方向から見た側面図を図３（ａ）に示し、図２中のＺ方向から見た平面図を図３（ｂ）に示した。また、図３（ｂ）中のＸ０−Ｘ０断面図を図４（ａ）に示し、図３（ｂ）中のＹ０−Ｙ０断面図を図４（ｂ）に示した。
【００３５】
この例の足場２０における雨水の排水過程を図４を用いて説明する。雨天時、上空から降る雨又は雪は、まず足場板２３の踏板２３ａに形成された網目状の穴を通じて、足場板２３の第一雨樋２３ｂ内部に溜められる。次いで、足場板２３の第一雨樋２３ｂ内に溜まった雨水は、図４（ａ）の矢印４０に示すように、足場板２３ｂの第一雨樋２３ｂの底部２３ｄに形成された穴２３ｅを介してブラケット２２の第二雨樋２２ｃの内部に流れ込む。
【００３６】
第二雨樋２２ｃの内部に流れ込んだ雨水は、図４（ｂ）の矢印４１に示すように、第二雨樋２２ｃの内部とブラケット２２の係合部２２ｂとの境界に形成された穴２２ｅを介して係合部２２ｂ内の流路２２ｊに流れ込む。次いで、流路２２ｊに流れ込んだ雨水は、図４（ｂ）の矢印４１に示すように、ブラケット２２の係合部２２ｂの端面に形成された穴２２ｄ及び支柱２１の外壁２１ａに形成された穴２１ｄを介して支柱２１の流路２１ｃに流れ込む。支柱２１の流路２１ｃに流れ込んだ雨水は最下部の支柱２１の地面に面した端部開口部から支柱２１を設置している地面近傍に排出される。
【００３７】
上記の雨水の排水過程から明らかなように、この例の足場２０では、雨水は上方の足場板２３の第一雨樋２３ｂで溜められ、その雨水はブラケット２２に設けた第二雨樋２２ｃを介して支柱２１の流路２１ｃに流れ込み外部に排出することができる。それゆえ、この例の足場２０では、上方の足場から直接下方の足場に落下する雨滴が無くなるので、上方の足場から落下した雨滴が下方の足場板に当たって飛散し、それにより建築物の側壁や窓などが汚れるという問題が解消される。これにより、雨天時の作業において建築物の側壁や窓など汚れを清掃しながら作業する必要がなくなり、雨天時の作業効率をより向上させることができる。また、落下する雨滴の飛散により建築物が濡れることが無くなるので、例えば、塗装工事やコーキング工事などの作業を効率良く行うことができる。また、足場の最上方に雨天シートや屋根を設ける必要が無いので、足場の設置及び撤収の際にかかる手間は晴天時と同じになり、雨天時の作業効率を一層向上させることができる。
【００３８】
【変形例１】
実施例１の足場２０では、図８（ｂ）に示したように、足場板２３の第一雨樋２３ｂの底部２３ｄが平坦である例を説明した。足場板２３は作業員が作業する場所となるので、ある程度強度が必要になる。足場板２３の強度をより補強するための第一雨樋の一例を図９に示す。この例の足場板の第一雨樋２３ｂ’には、図９に示すように、第一雨樋２３ｂ’の長手方向（図９中のＹ方向）に延在する２本の溝２３ｄ’が形成されるように底部が屈曲されている。Ｘ方向両端付近の溝２３ｄ’の底部には、図９に示すように、四角形状の穴２３ｅ’が形成されている。ただし、この穴２３ｅ’は、実施例１と同様に、本発明の足場を組立てた際、第一雨樋２３ｂ’の穴２３ｅ’の下方にブラケット２２の第二雨樋２２ｃの一部が位置付けられるように、溝２３ｄ’の底部の所定位置に形成される。なお、この例では溝２３ｄ’が２本形成されている第一雨樋２３ｂ’を例示したが、本発明はこれに限定されず、任意の溝本数で形成し得る。また、溝２３ｄ’の断面形状は四角形に限定されず、例えば、半円形や半楕円形で形成されていても良く、足場板２３に機械的強度をもたらす任意の形状にし得る。
【００３９】
また、第一雨樋２３ｂ’の各溝２３ｄ’の底部に形成された穴２３ｅ’には、図９に示すように、穴２３ｅ’からの雨水の排水を第二雨樋２２ｃに導くための補助板２３ｈ’が形成されている。補助板２３ｈ’は、図９に示すように、穴２３ｅ’を区画するＸ方向の縁部のうち、第一雨樋２３ｂ’のＹ方向の中央に近い側の縁部から下方に所定の角度だけ傾くように溝２３ｄ’の底部から延びている。
【００４０】
第一雨樋２３ｂ’に形成された各溝２３ｄ’の深さは、足場板２３を図８（ａ）のように組立てた際、網目状の踏板２３ａが第一雨樋２３ｂ’の溝２３ｄ’間に形成された凸部２３ｋの上面に接して設置されるような深さに設定される。従って、この例の第一雨樋２３ｂ’を用いて足場板２３を図８（ａ）のように組立てると、第一雨樋２３ｂ’の凸部２３ｋ上面に接して踏板２３ａが設置されるので、第一雨樋２３ｂ’の凸部２３ｋが踏板２３ａの補強部材になり、さらに足場板２３の強度を増すことができる。
【００４１】
【変形例２】
実施例１の足場２０では、支柱２１の流路２１ｃに流れ込んだ雨水は最下部の支柱２１の地面に面した端部開口部から支柱２１を設置している地面近傍に排出する例を説明した。しかしながら、足場が設置されている地面の土質や状態によっては、排出された雨水により水溜りが生じたり、支柱が設置されている地盤がゆるむ恐れがある。そのような作業現場では、図１０に示すように、アンダーベース２９上に設置された最下部の支柱２１の外壁に、支柱２１内の流路と流通する排水パイプ２８を設けることが好ましい。
【００４２】
図１０に示すように、最下部の支柱２１の下方に支柱２１内の流路と流通する排水パイプ２８を取り付けることにより、支柱２１内の流路に流れ込んだ雨水は、支柱２１の設置場所から離れた場所に置かれた排水パイプ２８の端部２８ａから排出される。これにより、支柱２１から排出された雨水により支柱２１が設置されている地面近傍に水溜りが生じたり、地盤がゆるむ危険性が無くなる。この場合、排水パイプ２８の長さは、作業現場の環境により任意に設定し得る。
【００４３】
【変形例３】
実施例１の足場２０では、図２に示すように、ブラケット２２における雨水の受け部として、サイドビーム２２ａの下部に第二雨樋２２ｃを設けた例を説明したが、本発明はこれに限定されない。例えば、図１１に示すように、ブラケット２２’のサイドビーム２２ａ’の外壁の一部に、足場板２３”の第一雨樋２３ｂ”のＹ方向の端面に形成された第一排水口２３ｅ”と流通する開口部２２ｐを設けたブラケット２２’を用いても良い。なお、このようなブラケット２２’では、サイドビーム２２ａ’内の中空部が流路２２ｃ’（受け部）となり、サイドビーム２２ａ’の端部でブラケット２２’の係合部２２ｂ’内の流路（不図示）と連通している。
【００４４】
このようなブラケット２２’を用いた場合、足場板２３”の第一雨樋２３ｂ”の第一排水口２３ｅ”から流れ出る雨水は、図１１中の矢印４０’に示すように、サイドビーム２２ａ’の開口部２２ｐを介してサイドビーム２２ａ’内の流路２２ｃ’に流れ込む。サイドビーム２２ａ’内の流路２２ｃ’に流れ込んだ雨水はブラケット２２’の係合部２２ｂ’内の流路を介して支柱２１内の流路に流れ出す（不図示）。この例における第一排水口２３ｅ”及び開口部２２ｐの形状は、特に限定されず、任意の形状にし得る。例えば、ブラケット２２’の長手方向に延びるスリット状にしても良く、あるいは、第一排水口２３ｅ”及び開口部２２ｐを絞り込んで円形にしても良い。
【００４５】
【実施例２】
実施例２の足場の斜視図を図１２に示す。なお、この例の足場の説明に用いる以下の図面（図１２及び１３）では、図１２に示すように、支柱２１が延在する方向をＺ方向とし、支柱２１に対してブラケット３２が垂直に延在する方向をＸ方向及び足場板２３の長手方向をＹ方向とする。ただし、この例ではＸ方向、Ｙ方向及びＺ方向は互いに直交する方向とする。
【００４６】
この例の足場３０は、図１２に示すように、作業現場の地面から鉛直方向に設置された支柱２１と、支柱２１から垂直方向に延在して取り付けられたブラケット３２と、ブラケット３２のサイドビーム３２ａに着脱可能にフック２３ｃで連結され、図１２中のＹ方向に延在して設けられた足場板２３とで構成される。この例の足場３０は、図１２に示すように、ブラケット３２の一方の端部だけを支柱２１で保持するタイプの足場である。また、この例の足場３０では、図１２に示すように、ブラケット３２以外の構成部材（支柱２１及び足場板２３）は、実施例１と同じ構造であるので、ここではこれらの構成部材についての説明は省略する。
【００４７】
この例のブラケット３２の概略図を図１３に示した。図１３（ｂ）は図１３（ａ）中のＹ３−Ｙ３断面を表わした図である。この例のブラケット３２は、図１３（ａ）に示すように、図１３（ａ）中のＸ方向に延在したサイドビーム３２ａと、サイドビーム３２ａの両端に形成された係合部３２ｂ及び３２ｂ’と、サイドビーム３２ａに吊り板３２ｇにより吊り下げられた箱状の第二雨樋３２ｃと、第二樋３２ｃの下部に設けられた支持部材３２ｌとで構成される。
【００４８】
図１３（ａ）中のＸ方向に延在した円筒状のサイドビーム３２ａ及びサイドビーム３２ａの下方に設けられた第二雨樋３２ｃは、実施例１の図６で説明したサイドビーム２２ａ及び第二雨樋２２ｃと同じ構造であるので、ここでは説明を省略する。サイドビーム３２ａの支柱２１と接する側の端部に設けられた係合部３２ｂは、図１３（ａ）及び（ｂ）に示すように、実施例１の図６で説明した接合部２２ｂと同じ構造を有する。一方、支柱２１と接合しない側の係合部３２ｂ’の内部は、図１３（ｂ）に示すように、空洞部３２ｊ’が設けられているが、空洞部３２ｊ’に雨水が溜まらないようにするため、空洞部３２ｊ’の上部が第二雨樋３２ｃの底部３２ｆ’で閉じられている。
【００４９】
支持部材３２ｌは、図１３（ａ）及び（ｂ）に示すように、板状の部材であり、その一端は、第二雨樋３２ｃの支柱２１と接続されない側の係合部３２ｂ’と、第二雨樋３２ｃの底面３２ｈとの境界付近に接合されており、第二樋３２ｃの底面３２ｈから下方に所定の角度傾いてブラケット３２の長手方向に延在している。第二雨樋３２ｃの底面３２ｈからブラケット３２の長手方向に延在した支持部材３２ｌの中間付近には、ブラケット３２の保持強度を増すために、支持部材３２ｌと第一雨樋３２ｃの底面３２ｈとの間に板状の支持材３２ｍが設けられている。また、支持部材３２ｌの支柱２１と接続される側の端部には支柱２１の外壁形状に対応する凹形状のグリップ部３２ｎが形成されており、この例の足場３０を組立てた際、図１２に示すように、支持部材３２ｌのグリップ部３２ｎの支柱側の端面が支柱２１の外壁面に接する構造になっている。
【００５０】
この例の足場３０における雨水の排水過程は実施例１と同様であり、まず、雨水は足場板２３の第一雨樋に溜まり、第一雨樋に溜まった雨水は第一雨樋の底部に形成された穴（第一排水口）を介してブラケット３２の第二雨樋３２ｃに流れ込む。次いで、ブラケット３２の第二雨樋３２ｃに流れ込んだ雨水は、図１３（ｂ）中の矢印４２に示すように、第二雨樋３２ｃの内部と係合部３２ｂとの境界に形成された穴３２ｅを介して係合部３２ｂ内の流路３２ｊに流れ込み、流路３２ｊに流れ込んだ雨水は係合部３２ｂの端面部に形成された穴３２ｄ（第二排水口）及び支柱２１の外壁２１ａに形成された穴（第三排水口）を介して支柱２１内の流路２１ｃに流れ込む。支柱２１内の流路２１ｃに流れ込んだ雨水は最下部の支柱２１の地面に面した端部開口部から排出される。ただし、この例の足場３０では、図１３（ｂ）に示すように、ブラケット３２の片方の係合部３２ｂだけが支柱２１と接合するので、ブラケット３２の第二雨樋３２ｃに溜まった雨水は、支柱２１と接合する一方の係合部３２ｂのみから支柱２１内の流路２１ｃに流れ込む。
【００５１】
上記の雨水の排水過程から明らかなように、この例の足場３０では、実施例１と同様に、上方の足場から直接下方の足場に落下する雨滴が無くなるので、上方の足場から落下した雨滴が下方の足場板に当たり飛散して建築物の側壁や窓などが汚れるという問題が解消される。これにより、雨天時の作業において建築物の側壁や窓など汚れを清掃しながら作業する必要がなくなり、雨天時の作業効率を向上させることができる。また、落下する雨滴の飛散により建築物が濡れることが無くなるので、例えば、塗装工事やコーキング工事などの作業を効率良く行うことができる。また、足場の最上方に雨天シートや屋根を設ける必要が無いので、足場の設置及び撤収の際にかかる手間は晴天時と同じになり、雨天時の作業効率を一層向上させることができる。
【００５２】
さらに、この例の足場３０では、図１２に示すように、ブラケット３２をその片側端部のみで支柱２１に保持することができるので、図２のような足場板を挟んで２本の支柱を配置する足場２０が設置できないような狭い作業現場でも容易に本発明の足場を組立てることができる。
【００５３】
【実施例３】
実施例３の足場の斜視図を図１４に示す。なお、この例の足場の説明に用いる以下の図面（図１４及び１５）では、図１４に示すように、支柱２１及び２１’が延在する方向をＺ方向とし、支柱２１に対してブラケット５０が垂直に延在する方向をＸ方向とし、足場板２３の長手方向をＹ方向とする。ただし、この例ではＸ方向、Ｙ方向及びＺ方向は互いに直交する方向とする。
【００５４】
この例の足場は、図１４に示すように、支柱２１及び２１’と、Ｌ型ブラケット５２と、足場板２３とで構成されている。この例の足場５０では、図１４に示すように、支柱２１と支柱２１’との間に設置されたブラケット５２がＬ型形状になっている。また、この例の足場５０では、ブラケット５２以外の足場組立セットの構成部材（支柱２１、２１’及び足場板２３）は、実施例１と同じ構造であるので、ここではそれらの構成部材についての説明は省略する。
【００５５】
この例のＬ型ブラケット５２の概略図を図１５に示した。図１５（ｂ）は図１５（ａ）中のＹ４−Ｙ４断面を表わした図である。この例のＬ型ブラケット５２は、図１５（ａ）及び（ｂ）に示すように、円筒状のＬ型サイドビーム５２ａと、Ｌ型サイドビーム５２ａの両端に形成された係合部５２ｂと、Ｌ型サイドビーム５２ａにＬ型吊り板５２ｇにより吊り下げられた箱状のＬ型第二雨樋５２ｃと、Ｌ型第二雨樋５２ｃの下部に形成された２本の支持部材５２ｌ及び５２ｐとで構成される。
【００５６】
Ｌ型ブラケット５２のＬ型サイドビーム５２ａは、図１５（ｂ）に示すように、円筒状のＬ型単管で形成されており、サイドビーム５２ａの形状がＬ型であること以外は、実施例１の図６で説明したサイドビーム２２ａと同じ構造である。サイドビーム５２ａの下方に設けられた箱状のＬ型第二雨樋５２ｃは、雨樋の形状がＬ型であること以外は実施例１の図６で説明した第二雨樋２２ｃと同じ構造である。また、Ｌ型サイドビーム５２ａの両端に形成された係合部５２ｂは、実施例１の図６で説明した係合部２２ｂと同じ構造である。
【００５７】
支持部材５２ｌは、Ｌ型ブラケット５２の図１５（ａ）中のＸ方向に延在した領域５２’を支持するために、Ｌ型第二雨樋５２ｃの領域５２’の下部に設けられた板状部材である。支持部材５２ｌは、図１５（ｂ）に示すように、その一端がＬ型第二雨樋５２ｃの底面５２ｈのコーナー部分近傍に接合されており、第二樋５２ｃの底面５２ｈから下方に所定の角度傾いて図１５（ｂ）中のＸ方向に延在している。第二雨樋の底面５２ｈから図１５（ｂ）中のＸ方向に延在した支持部材５２ｌの中間付近には、ブラケット５２の保持強度を増すために、支持部材５２ｌと第二雨樋５２ｃの領域５２’の底面５２ｈとの間に支持材５２ｍが設けられている。また、支持部材５２ｌの支柱２１と接続される側の端部には、支柱２１の外壁形状に対応する凹形状のグリップ部５２ｎが形成されており、この例の足場５０を組立てた際、図１４に示すように、支持部材５２ｌのグリップ部５２ｎの支柱２１側の端面が支柱２１の外壁面に接する構造になっている。
【００５８】
支持部材５２ｐは、Ｌ型ブラケット５２の図１５（ａ）中のＹ方向に延在した領域５２”を支持するために、Ｌ型第二雨樋５２ｃの領域５２”の下部に設けられた板状部材である。支持部材５２ｐは、図１５（ｂ）に示すように、その一端がＬ型第二雨樋５２ｃの底面５２ｈのコーナー部分近傍に接合されており、第二樋５２ｃの底面５２ｈから下方に所定の角度傾いて図１５（ｂ）中のＹ方向に延在している。第二雨樋５２ｃの底面５２ｈから図１５（ａ）中のＹ方向に延在した支持部材５２ｐの中間付近には、ブラケット５２の保持強度を増すために、支持部材５２ｐと第一雨樋５２ｃの領域５２”の底面５２ｈとの間に支持材５２ｑが設けられている。また、支持部材５２ｐの支柱２１’と接続される側の端部には、支柱２１’の外壁形状に対応する凹形状のグリップ部５２ｒが形成されており、この例の足場５０を組立てた際、図１４に示すように、支持部材５２ｐのグリップ部５２ｒの支柱２１’側の端面が支柱２１’の外壁面に接する構造になっている。
【００５９】
この例の足場５０における雨水の排水過程は実施例１と同様であり、まず、雨水は足場板２３の第一雨樋に溜まり、第一雨樋に溜まった雨水は第一雨樋の底部に形成された穴（第一排水口）を介してブラケット５２の第二雨樋５２ｃに流れ込む。次いで、ブラケット５２の第二雨樋５２ｃに流れ込んだ雨水は、図１５（ｂ）の矢印４３に示すように、第二雨樋５２ｃの内部と係合部５２ｂとの境界に形成された穴５２ｅを介して係合部５２ｂ内の流路５２ｊに流れ込み、流路５２ｊに流れ込んだ雨水はブラケット５２の係合部５２ｂの端面部に形成された穴５２ｄ（第二排水口）及び支柱２１の外壁２１ａに形成された穴（第三排水口）を介して支柱２１内の流路２１ｃに流れ込む。支柱２１内の流路２１ｃに流れ込んだ雨水は最下部の支柱２１の地面に面した端部開口部から排出される。
【００６０】
上記の雨水の排水過程から明らかなように、この例の足場５０では、実施例１と同様に、上方の足場から直接下方の足場に落下する雨滴が無くなるので、上方の足場から落下した雨滴が下方の足場板に当たって飛散することにより建築物の側壁や窓などが汚れるという問題が解消される。これにより、雨天時の作業において建築物の側壁や窓など汚れを清掃しながら作業する必要がなくなり、雨天時の作業効率を向上させることができる。また、落下する雨滴の飛散により建築物が濡れることが無くなるので、例えば、塗装工事やコーキング工事などの作業を効率良く行うことができる。また、足場の最上方に雨天シートや屋根を設ける必要が無いので、足場の設置及び撤収の際にかかる手間は晴天時と同じになり、雨天時の作業効率を一層向上させることができる。
【００６１】
さらに、この例の足場５０では、図１４に示すように、足場板２３を挟んで設置される支柱２１及び２１’を足場板２３の長手方向（図１４中のＹ方向）に互いにずらして設置することができる。それにより、支柱２１と支柱２１’との間の距離を広げることができる。それゆえ、この例の足場５０では、作業者が足場板２３上で移動する際、支柱２１と支柱２１’との間の通り抜けが容易になり、作業をより効率良く行うことができる。
【００６２】
上記実施例１〜３では、足場板が特定形状の結合部（フック２３ｃ）を有していたが、これに限定されず、任意の形状及び構造の結合部にし得る。例えば、足場板の結合部を適当な厚さを有する中空部材から構成し、結合部内部と足場板の受け皿（第一雨樋２３ｂ）を連通させるとともに、結合部に第一排水口を設けても良い。
【００６３】
上記実施例１〜３では、ブラケットを保持するための支柱のホルダが底面を有する例について説明したが、本発明はこれに限定されない。従来用いられているクサビ型足場の支柱、すなわち、ホルダにより囲まれた支柱の外壁部に穴が形成されておらず且つホルダの底部が無い支柱を用いても良い。この場合、ブラケットの係合部に形成された穴から流出する雨水は支柱の外壁を伝って下方に排出される。
【００６４】
また、上記実施例１〜３では、ブラケットの係合部を支柱のホルダに差し込むタイプ、すなわち、クサビ型の足場について説明したが、本発明はこれに限定されない。例えば、ブラケットの係合部がクランプのようにねじで支柱に接合するタイプのものでも良い。ブラケットの接合部がクランプによりねじで支柱に接合するタイプにおいても、クランプの支柱と接合される部分にブラケットの第二雨樋と流通する穴（第二排水口）が形成されていても良い。この場合、クランプで接合される支柱の外壁面には支柱内の流路と流通する穴（第三排水口）が形成されていても良いし、形成されていなくても良い。クランプと接合される支柱の外壁面に支柱内の流路と流通する穴が形成されている場合には、上記実施例１〜３と同様に、ブラケットの係合部から流出する雨水は支柱内の流路を介して外部に排出される。一方、クランプと接合される支柱の外壁面に支柱内の流路と流通する穴が形成されていない場合には、ブラケットの係合部から流出する雨水は支柱の外壁を伝って排出される。
【００６５】
【発明の効果】
本発明の足場によれば、雨水は、まず足場板の第一雨樋に溜まり、その溜まった雨水はブラケットの第二雨樋に流れ込み、そして、ブラケットの第二雨樋に溜まった雨水はブラケットの支柱との係合部を介して支柱内の流路に流れ込み下方に排出される。それゆえ、足場の最上方に雨天シートや屋根を設けなくても、足場板から直接下方の足場板へ落下する雨滴が無くなり、落下した雨滴が下方の足場板で飛散して建築物の側壁や窓などを汚すという問題は発生しない。これにより、雨天時の作業において建築物の側壁や窓などを汚れを清掃しながら作業を行う必要が無くなり、雨天時の作業効率を向上させることができる。また、落下する雨滴の飛散により建築物が濡れることが無くなるので、塗装工事やコーキング工事などの作業を効率良く行うことができる。
【００６６】
さらに、本発明の足場によれば、足場の最上方に雨天シートや屋根を設ける必要がないので、容易に組立可能で且つ低コストの足場組立セットを提供することができるとともに、足場の設置及び撤収の際にかかる手間は晴天時と同じになり、雨天時の作業効率を一層向上させることができる。
【００６７】
また、本発明の足場によれば、足場板上に溜まる水をできるだけ少なくすることができるので、冬場の作業時における足場板の凍結を最小限に抑えることができる。それゆえ、冬場の作業時における労働災害の発生を防止することができる。
【図面の簡単な説明】
【図１】従来の足場を示した図である。
【図２】実施例１の足場を示した図である。
【図３】図３（ａ）は図２中のＸ方向から見た実施例１の足場の側面図であり、図３（ｂ）は図２中のＺ方向から見た実施例１の足場の平面図である。
【図４】図４（ａ）は図３（ｂ）中のＸ０−Ｘ０断面を示した図であり、図４（ｂ）は図３（ｂ）中のＹ０−Ｙ０断面を示した図である。
【図５】図５（ａ）は実施例１の支柱の概略図であり、図５（ｂ）は図５（ａ）中の破線で囲まれた領域の概略断面図である。
【図６】実施例１のブラケットを示した図であり、図６（ａ）はブラケットの斜視図であり、図６（ｂ）は図６（ａ）中のＹ方向から見たブラケットの側面図であり、そして、図６（ｃ）は図６（ａ）中のＺ方向から見たブラケットの平面図である。
【図７】図７（ａ）は図６（ｃ）中のＸ１−Ｘ１断面を示した図であり、図７（ｂ）は図６（ｂ）のＺ１−Ｚ１断面を示した図であり、図７（ｃ）は図６（ｂ）のＹ１−Ｙ１断面を示した図であり、そして、図７（ｄ）は図６（ｂ）のＹ２−Ｙ２断面を示した図であり、
【図８】実施例１の足場板を示した図であり、図８（ａ）は足場板の斜視図であり、図８（ｂ）は足場板の分解図である。
【図９】変形例１で用いたブラケットの第一雨樋の斜視図である。
【図１０】変形例２で用いた最下部の支柱を示した図である。
【図１１】変形例３の足場の概略断面図である。
【図１２】実施例２の足場を示した図である。
【図１３】実施例２で用いたブラケットの概略図であり、図１３（ａ）はブラケットの斜視図であり、図１３（ｂ）は図１３（ａ）中のＹ３−Ｙ３断面を示した図である。
【図１４】実施例３の足場を示した図である。
【図１５】実施例３で用いたブラケットの概略図であり、図１５（ａ）はブラケットの斜視図であり、図１５（ｂ）は図１５（ａ）中のＹ４−Ｙ４断面を示した図である。
【符号の説明】
２０，３０，５０  足場
２１，２１’  支柱
２２，３２，５２  ブラケット
２３  足場板
【図１】
2005002673.tif 000003
【図２】
2005002673.tif 000004
【図３】
2005002673.tif 000005
【図４】
2005002673.tif 000006
【図５】
2005002673.tif 000007
【図６】
2005002673.tif 000008
【図７】
2005002673.tif 000009
【図８】
2005002673.tif 000010
【図９】
2005002673.tif 000011
【図１０】
2005002673.tif 000012
【図１１】
2005002673.tif 000013
【図１２】
2005002673.tif 000014
【図１３】
2005002673.tif 000015
【図１４】
2005002673.tif 000016
【図１５】
2005002673.tif 000017